(57)【特許請求の範囲】
【請求項１】
側板に連設され開口を閉塞する蓋部と、側板に連設され蓋部の少なくとも左右のいずれか一方より蓋部の内側へ折り込まれるフラップとを有する包装箱であって、底蓋（１７）の先端側に連設された差込片（１８）より少なくとも左右のいずれか一方に突出する係止片（１９）を設け、該係止片（１９）は差込片（１８）を箱内に挿入する際に差込片（１８）に折り畳み可能に形成され、差込片（１８）の箱内への挿入後に折り畳み状態から開放された該係止片（１９）が素材の復元力で開いて少なくともフラップ（２０）のひとつが連設された側板（１１）に沿って位置してフラップ（２０）に係合可能となり、該係止片（１９）と差込片（１８）との連結部（１９１）と、底蓋（１７）と差込片（１８）との連結部（１８１）との接点付近の底蓋側辺部（１９２）に斜めに形成された段差部（１９３）を設けることより、該係止片（１９）を折り畳んだ状態で、その底蓋側辺部（１９２）が底蓋（１７）と差込片（１８）との連結部（１８１）との間に隙間を生じさせるように形成されたことを特徴とする包装箱。  
【請求項２】
前記係止片（１９）が、前記差込片（１８）より左右両側に突出するように設けられていることを特徴とする請求項１に記載の包装箱。
【請求項３】
前記差込片（１８）と前記係止片（１９）の角部であって、折り畳んだ状態で係止片（１９）と差込片（１８）との接続部と対向する先端側の角部をいずれもＲ状に形成したことを特徴とする請求項１または２に記載の包装箱。
【発明の詳細な説明】
【技術分野】
【０００１】
本発明は、商品を収納する包装箱に関し、更に詳細には、正面幅が小さい包装箱の場合であっても蓋部を確実に係合することが可能なロック機構を備えた包装箱に関する。
【背景技術】
【０００２】
従来、蓋部とその蓋部の内側に位置するフラップ片で商品を出し入れする上部開口もしくは底部の開口を封止するタイプの包装箱では、蓋部の差込片の連結部に切り込みを入れたいわゆるスリットロック等様々の方法により、蓋部の一部をフラップ片に係合して蓋部が簡単に開かないようにする工夫がなされている。特に底部の設計要件として、底抜け防止が重視され、且つ必要に応じて解体の可能な構造が求められていた。
【０００３】
ところが、かかるスリットロック機構では、十分に蓋部を係合できない場合があり、特に底面の蓋部は開いてしまうと内容物が脱落するおそれがあるため、ロックを強固にするために糊付けを施したり、確実に係合させるために地獄底にしたり構造を複雑にすることで対応していた（特許文献１、特許文献２）。
【０００４】
しかしながら、スリットロック機構を設けるためには、スリット長と連結部長を必要最低限の値にした場合でも、包装箱の正面幅をある程度確保する必要があった。そのため、特に正面幅の小さい箱の場合は、スリットロック機構が十分機能しない場合があった。
【０００５】
また、複雑なロック機構を設けた箱は、組み立てが困難で、生産性及び使用性の面で扱いにくいものであった。さらに、構造を複雑にするものは、原材料のブランクシートが余分に必要となる可能性もあり、製造コストが高くなる要因となっていた。
【０００６】
同様に、蓋部の糊付け等は、製造工程が複雑になり、解体することも困難のため、生産性及び使用性の面で扱いにくいものであった。そのため、特に正面幅の小さい包装箱の場合はロック機構を設けず、底抜けリスクに対し未対応の状態のものが多かった。  
【０００７】
【特許文献１】特開２０１１−０１１７５１
【特許文献２】特開２００７−３３１８３２
【発明の概要】
【発明が解決しようとする課題】
【０００８】
そこで本発明は、従来の包装箱のかかる欠点を克服し、正面幅が小さい包装箱であっても蓋部を確実に係合可能なロック機構を備え、同時に、組立および解体も容易な包装箱の提供をその課題とするものである。
【課題を解決するための手段】
【０００９】
本発明は、上記課題を解決するものであり、側板に連設され開口を閉塞する蓋部と、側板に連設され前記蓋部の少なくとも左右のいずれか一方より蓋部の内側へ折り込まれるフラップとを有する包装箱であって、前記蓋部の先端側に連設された差込片より少なくとも左右のいずれか一方に突出する係止片を設け、該係止片は前記差込片を箱内に挿入する際に差込片に折り畳み可能に形成され、差込片の箱内への挿入後に折り畳み状態から開放された該係止片が素材の復元力で開いて少なくとも前記フラップのひとつが連設された側板に沿って位置し、フラップに係合可能となることを特徴とする包装箱である。
【発明の効果】
【００１０】
本発明にかかる包装箱は、蓋部を閉じたときにフラップ片に係合可能な係止片を蓋部の先端側に形成された差込片に設けることで、ロック機能がより強固となり、さらに、開封した場合には簡単に平坦になり処分する際にもかさばらないものである。
【００１１】
また、ある程度の大きさをもった箱のみならず、正面幅の小さい箱であっても、生産時の箱の組み上げ性について良好なものが得られ、作業性が向上した。さらに、使用後の解体についても、簡単にできるようになった。
【図面の簡単な説明】
【００１２】
【図１】本発明の包装箱の斜視図
【図２】本発明の包装箱の展開図
【図３】（ａ）本発明の包装箱の係止片を折り畳む前の状態を示す拡大図、（ｂ）本発明の包装箱の係止片を折り畳んだ後の状態を示す拡大図
【図４】（Ａ）〜（Ｆ）本発明の包装箱の底蓋を閉じる一連の作業を表した図
【図５】本発明の包装箱の底蓋を閉じて係止片がフラップ片に係合した状態を内部から表した図
【発明を実施するための形態】
【００１３】
以下、本発明の包装箱の実施態様を、図面に基づいて具体的に説明する。なお、本発明はこれら実施態様に何ら制約されるものではない。
【００１４】
図１は、本発明の包装箱を背面側から図示した斜視図である。図に示すように、本実施態様の包装箱は、スティック状やペンタイプの細身の商品を包装するために縦長の直方体に形成された本体部１が表台紙２の裏側に設けられ、かかる本体部１の横には裏台紙３が表台紙２の裏側に貼付されている。かかる表台紙２には、商品名や商品の姿絵、宣伝文字などが記載されており（図示せず）、本体部１を構成する背面側板１２、右側板１３および裏台紙３には、商品説明、製造者表示、成分表示などがそれぞれ記載されている（いずれも図示せず）。なお、本実施態様では、このように商品本体を収納する本体部１の他に宣伝効果を高めるための表台紙２と裏台紙３を別途設けているが、本発明の包装箱は、商品本体を収納する本体部１のみで形成されるものであってもよい。
【００１５】
図２は、本実施態様の包装箱の組立前の展開図である。図に示すように、本実施態様の包装箱の本体部１は、表台紙２より順次連続して形成された左側板１１、背面側板１２、右側板１３を備え、更に、右側板１３には裏台紙３が連設されている。本実施態様の包装箱の組立は、まず、表台紙２、左側板１１、背面側板１２、右側板１３の各連結部を折り曲げ、表台紙２の裏側に表台紙２の一部と左側板１１、背面側板１２、右側板１３により構成される直方体の本体部１を形成し、そして、表台紙２の裏側余白に裏台紙３を貼付する。
【００１６】
本体部１は上下の開口を封止するための蓋部およびフラップを有する。具体的には、背面側板１２の上端に本体部１の上部開口を封止する上蓋１４が連設され、さらに、上蓋１４の先端側には開口内に挿入するための差込片１５が連設されている。また、左右側板１１、１３の上端には、左右から上蓋１４の内側に折り込まれる一対のフラップ１６が連設されている。
【００１７】
また、表台紙１２の一部であって、本体部１１の正面側板を構成する部分の下端からは、本体部１の底部開口を封止する底蓋１７が連設され、さらに、底蓋１７の先端側には開口内に挿入するための差込片１８が連設されている。また、左右側板１１、１３の下端には、左右から底蓋１７の内側に折り込まれる一対のフラップ２０が連設されている。なお、本実施態様では、上部のフラップ１６と下部のフラップ２０はいずれも蓋部の左右に一対で形成されているが、これらを、蓋部の左右いずれか一方のみに設けてもよい。但し、後述する係止片１９のロック機能をより高めるためには、本実施態様のように一対で設けることが好ましい。さらに、本発明の包装箱において、蓋部およびフラップを設ける側板の位置は前記に限定されない。
【００１８】
本発明の包装箱は、底蓋１７の先端に延設された差込片１８より横方向へ係止片１９が突出している。この係止片１９は、差込片１８との連結部１８１において差込片１８側へと折り曲げ可能に形成されている。  
【００１９】
図３は、本実施態様の包装箱の底蓋１７、差込片１８および係止片１９を底部開口側から見た拡大図である。図に示すように、本実施態様の係止片１９は開状態で差込片１８より左側に突出して形成されている。なお、係止片１９は、フラップ２０が設けられている側であれば左右のいずれか一方に設ければ良いが、ロック機能をより高めるためには、差込片１８より左右両側に突出するように設けることが好ましい。また、ロック機能よりも箱を解体する際の開けやすさを優先する場合は、差込片１８の左右いずれか一方に設けることが好ましい。なお、このように差込片１８の左右いずれか一方、もしくは左右両側に係止片１９を設けても、当該ブランク部分は、従来は原紙の型抜きの際に捨てられていた部分のため、余分な製造コストが発生することがない。さらに、従来のスリットロックのように、差込片との連結部に切り込みを入れるものではないため、包装箱の正面幅に制限されることなく設けることが可能である。
【００２０】
係止片１９は、差込片１８との連結部１９１で差込片１８側に折り曲げ可能に形成されている。係止片１９の形状や大きさは任意であるが、差込片１８に折り畳んだ状態で、差込片１８より全体的に小さく形成され、特に、図３（ｂ）に示すように、折り畳んだ状態で係止片１９の底蓋側辺部１９２が連結部１８１との間に隙間を生じさせるように形成することが好ましい。本実施態様では、連結部１９１と連結部１８１との接点付近の底蓋側辺部１９２に、所定の角度の段差部１９３を設けることによりかかる隙間を形成している。この隙間により、係止片１９が箱内において折り畳み状態から開放されたときに、フラップ２０に引掛かかることなく係止片１９をスムーズに開くことができる。
【００２１】
また、本実施態様のように、差込片１８と係止片１９の角部であって、折り畳んだ状態で接続部１９１と対向する先端側の角部１８２及び１９４をいずれもＲ状に形成しても良い。このように角部をＲ状に形成することで、底蓋１７を開くときに、差込片１８と係止片１９をスムーズに箱内より引き出すことが可能となる。
【００２２】
図４は、本発明の包装箱の底蓋１７を閉じる一連の作業を示す。まず、底蓋１７およびフラップ２０（手前側のフラップ片は図示を省略する）が開いた状態（Ａ）から、フラップ２０を包装箱の下部開口２１側へ折り込み、次に、係止片１９を開口２１側に折り返して差込片１８に折り畳む（Ｂ）。次に、差込片１８を底蓋１７との連結部１８１にて折り曲げ（Ｃ）、折り畳まれた状態の差込片１８と係止片１９をフラップ２０と背面側板１２との隙間２０１に挿入する（Ｄ）。そして、そのまま挿入を進めて差込片１８と係止片１９が完全に包装箱内に挿入された時点（Ｅ）で、折り畳まれた係止片１９が折り畳み状態より開放されて素材の復元力で開き、フラップ２０に対して係合可能な形となる（Ｆ）。  
【００２３】
図５は、本発明の包装箱の底蓋１７を閉じて係止片１９がフラップ２０に係合可能となった状態を包装箱内から示す。図に示すように、差込片１８との折り畳み状態から開放されて元の位置に復元しようとする係止片１９はフラップ２０が連設する左側板１１に沿って位置し、差込片１８と平面視でＬ字を形成する。この結果、底蓋１７を開こうとした場合、係止片１９の底蓋側辺部１９２が左側板１１に連設するフラップ２０の内側に係合する形となるため、底蓋１７の開封を妨げてロックすることが可能となる。
【００２４】
なお、係止片１９が差込片１８の左右両側に設けられているものは、差込片１８に対して左右から係止片１９を２重に折り畳んで箱内に挿入する以外は、その組立方法に違いはない。箱内に挿入された後、係止片１９は差込片１８の左右に開く形となるため、差込片１８と平面視でコの字を形成する。これにより、２つの係止片１９は左右のフラップ２０と係止する形となり、よりロック機能が強固となる。
【００２５】
また、本発明の包装箱の底蓋１７を開く場合は、閉状態で係止片１９と対向する側の底蓋１７の辺部より開いていく。これにより、まず、差込片１８は係止片１９と最も離れた部分から箱外へと引き出される。このとき、差込片１８の角部１８２がＲ状に形成されているため、差込片１８のスムーズな引出しが可能となる。こうして差込片１８が箱外へと引き出されると、続いて係止片１９も差込片１８に引っ張れる形で箱外へと引き出される。このようにして、底蓋１７の開封作業が完了する。
【００２６】
以上のとおり、本発明の包装箱における蓋部の開閉作業に関しては、閉じる際に係止片１９を差込片１８に折り畳んで箱内に挿入する以外には特別な作業を要さず、また、開く際も底蓋１７の任意の辺部側から開ければよいため、簡単に包装箱の組立および解体が可能となっている。
【００２７】
本発明の包装箱の材質については、一般的な包装箱に使用される素材であれば特に限定はされないが、係止片１９を差込片１８に折り畳み、その状態から開放されたときに元の状態へ復元しようとする程度の復元力を備えた紙、合成樹脂などが好ましい。具体的には、和紙、上質紙、中質紙、コート紙、ボール紙、カード紙、コートボール紙、コートカード紙、アルミや合成樹脂に蒸着させたアルミ等を表面被覆した蒸着紙等の紙類や、ポリプロピレン、ポリエチレンテフレタート(ＰＥＴ)などの透明合成樹脂や不透明合成樹脂等の合成樹脂類を適宜用いることができる。
【００２８】
さらに、本実施態様の包装箱では、底蓋１７に対するロック機構として係止片１９を備え、上蓋１４については、差込片１５との連結部に切り込みのスリット１５１を設け、差込片１５が箱内に挿入された後にかかるスリット１５１部分がフラップ１６に係止されることでロックされるいわゆるスリットロック機構を採用しているが、かかる上蓋１４のロック機構についても、底蓋１７と同様に上蓋１４に連設する差込片１５に同様の係止片を設けてもよい。
【００２９】
さらに、本発明の包装箱において、上蓋１４のロック機構として採用されているスリットロックを、係止片１９によるロック機構と併用しても良い。すなわち、本実施態様の底蓋１７と差込片１８の連結部１８１に所定の長さの切り込みを設け、かかるスリットにフラップ２０が係止可能となるように形成することができる。なお、このように係止片１９とスリットロックを併用する場合は、かかるスリットは、係止片１９が設けられている側に対向する側（図３では右側）から切り込みを入れて設けることが好ましい。
【符号の説明】
【００３０】
１  …  …  本体部
２  …  …  表台紙
３  …  …  裏台紙
１１  …  …  左側板
１２  …  …  背面側板
１３  …  …  右側板
１４  …  …  上蓋
１５  …  …  差込片
１６  …  …  フラップ
１７  …  …  底蓋
１８  …  …  差込片
１９  …  …  係止片
２０  …  …  フラップ
１５１  …  …  スリット
１８１  …  …  連結部
１８２  …  …  角部
１９１  …  …  連結部
１９２  …  …  辺部
１９３  …  …  段差部
１９４  …  …  角部
２０１  …  …  隙間
【図１】
0006744699.tif 000002
【図２】
0006744699.tif 000003
【図３】
0006744699.tif 000004
【図４】
0006744699.tif 000005
【図５】
0006744699.tif 000006